(57)【要約】【課題】  ゴルフのクラブ、野球のバット等の打具をスイングする過程におけるリスト角度を確認できるとともにスイングの回数を計数できるリスト角度確認およびスイング計数装置を提供する。【解決手段】  打具１５に取り外し可能に取り付けられる本体２に、打具１５がスイングされる毎に動かされるように可動子を支持させる。可動子が動く回数を計数する計数回路と、計数回路の出力を表示する表示装置を設ける。本体２を打具１５に所定取付角度で取り付けると、打具１５をスイングする過程におけるリスト角度を本体２が見える角度によって使用者自身が確認できる。使用者が打具１５をスイングすると、可動子が動かされ、計数回路がそれを計数することにより、スイング数が計数され、表示装置に表示される。【選択図】    図１５
2006006679.tif 000002
【特許請求の範囲】
【請求項１】
打具に取り外し可能に取り付けられる本体と、前記本体が前記打具に所定取付角度にて取り付けられたとき、前記打具がスイングされる毎に、前記本体に対し相対的に、所定の待機位置から所定の向きに動かされることとなるように前記本体に可動に支持された可動子と、前記本体に取り付けられており、前記可動子が動く回数を計数する計数回路と、前記本体に取り付けられており、前記計数回路の出力を表示する表示装置とを有してなるリスト角度確認およびスイング計数装置。
【請求項２】
前記本体に設けられた弾性を有する嵌合部と、この嵌合部と前記本体との間に形成された間隙とを有し、
前記間隙に前記打具の細い部分をまず挿入し、しかる後に前記本体および前記嵌合部を前記打具のより太い部分側に移動して前記打具のより太い部分を前記間隙に嵌合できるようになっている請求項１記載のリスト角度確認およびスイング計数装置。
【請求項３】
前記本体は比較的に扁平な形状をなしており、前記本体が前記打具に所定取付角度にて取り付けられ、かつスイングの所定時点におけるリスト角度が正しいとき、前記使用者から見て、前記本体の厚みがほぼ見えることとなるようにされている請求項１または２記載のリスト角度確認およびスイング計数装置。
【請求項４】
前記本体はゴルフのクラブのシャフトのグリップ部付近に取り付けられる請求項１乃至３のいずれかに記載のリスト角度確認およびスイング計数装置。
【請求項５】
前記本体は野球のバットのグリップに取り付けられる請求項１乃至３のいずれかに記載のリスト角度確認およびスイング計数装置。
【発明の詳細な説明】
【技術分野】
【０００１】
本発明は、ゴルフのクラブ、野球のバット等の打具をスイングする過程におけるリスト（手首）の角度を確認できるとともに、スイングの回数を計数できるリスト角度確認およびスイング計数装置に関する。
【背景技術】
【０００２】
アマチュアゴルファーが最も犯しやすい過ちの一つは、トップスイングにおいて図１のように左手甲が真直ぐになっておらず、図２のように左手首が甲側に折れたり、逆に図３のように左手首が手のひら側に折れた状態になってしまうことである。
【０００３】
リスト（手首）が甲側に折れればクラブのフェースは所謂オープンに、また手のひら側に折れれば所謂シャットになる。スイング中にスイング軌道に対するフェース面の向きを変えることは困難であるので、トップでのリストの角度が重要である。左手が甲側に折れたり、手のひら側に折れた状態になっていると、ボールは真直ぐに飛ばないし、所謂シャフトクロスやオーバースイングの原因にもなる。
【０００４】
また、同様のリスト角度の問題は、野球のバット等の他のスポーツの打具のスイング過程においても生じることがある。
【０００５】
他方、ゴルフ、野球の打撃等の上達のためには、素振りの反復繰り返し等により、クラブ、バット等のスイングを継続的に多数回繰り返し練習することが重要である。しかしながら、自分でスイングを行った回数を一々数えるのは大変であり（ゴルフ練習場でボールを打つ場合においては、何カゴ打ったかで、スイング数が分かるが、クラブやバットの素振りを行う場合等は、何回スイングしたかは自分で数える必要がある）、単調に感じてしまいがちであるので、現実には、よほど意志を強く持たないと、十分な回数スイングを継続的に練習することはなかなか困難である。
【０００６】
また、特許文献１および２等は、打具のスイング数を計数する装置を開示しており、このような装置を使用すれば、何度スイングをしたかを練習者が確認でき、励みになり、モチベーションの高い状態で多数回スイングを繰り返すことができ、練習効果も上がる。
【特許文献１】特開昭６０−１０３９７７号公報
【特許文献２】特開２０００−２０２０８２号公報
【発明の開示】
【発明が解決しようとする課題】
【０００７】
前述のように、ゴルファーにとって、トップスイングにおけるリスト角度は重要であるが、トップスイングにおいて自分の手首がどのような状態になっているのかを客観的に認識することは実際には困難である。
【０００８】
また、前記特許文献１，２等に記載されている従来の打具のスイング数を計数する装置は、スイング数を計数できるのみで、スイング過程におけるリスト角度を確認できる機能は有していなかった。
【０００９】
本発明は、このような従来の事情に鑑みてなされたもので、本発明の目的の一つは、ゴルフのクラブ、野球のバット等の打具をスイングする過程におけるリスト角度を確認できるとともにスイングの回数を計数できるリスト角度確認およびスイング計数装置を提供することにある。
【００１０】
本発明の他の目的は、打具に対する取り付けを簡単かつ強固に行うことができるリスト角度確認およびスイング計数装置を提供することにある。
【００１１】
本発明のさらに他の目的は、以下の説明から明らかになろう。
【課題を解決するための手段】
【００１２】
本発明によるリスト角度確認およびスイング計数装置は、打具に取り外し可能に取り付けられる本体と、前記本体が前記打具に所定取付角度にて取り付けられたとき、前記打具がスイングされる毎に、前記本体に対し相対的に、所定の待機位置から所定の向きに動かされることとなるように前記本体に可動に支持された可動子と、前記本体に取り付けられており、前記可動子が動く回数を計数する計数回路と、前記本体に取り付けられており、前記計数回路の出力を表示する表示装置とを有してなるものである。
【００１３】
本発明においては、本体をゴルフのクラブ、野球のバット等の打具に所定取付角度にて取り付けると、打具をスイングする過程（例えば、ゴルフのスイングにおけるトップスイングの状態）における自分のリスト角度の状態を、自分から見た本体の角度（自分からの本体の見え方）によって、使用者自身が明瞭に認識できるので、容易に確認することができる。
【００１４】
また、本体を前記打具に所定取付角度にて取り付けた状態で、使用者が打具を１回スイングすると、可動子が慣性により相対的に本体に対し待機位置から所定の向きに動かされ、計数回路が１カウントし、表示装置の表示が１回分増加する。したがって、使用者がスイングする毎に計数回路が１カウントし、そのカウント数の累計が表示装置に表示される。
【発明の効果】
【００１５】
本発明のリスト角度確認およびスイング計数装置は、
（イ）ゴルフのクラブ、野球のバット等の打具をスイングする過程における自分のリスト角度の状態を、自分から見た本体の角度によって明瞭に認識できるので、容易に確認することができる、
（ロ）スイングの回数を計数できる、
等の優れた効果を得ることができる。
【発明を実施するための最良の形態】
【００１６】
以下、本発明を図面に示す実施例に基づいて説明する。
【実施例１】
【００１７】
図４〜１７は本発明の実施例１を示している。リスト角度確認およびスイング計数装置１の本体２は全体に比較的に扁平な形状をなしており、表側カバー２ａと裏側カバー２ｂとからなっている。前記表側および裏側カバー２ａ，２ｂはそれぞれプラスチックからなり、互いに取り外し可能に結合されている。前記表側カバー２ａには、液晶表示装置からなる表示装置３およびリセットスイッチ４が、それぞれそれらの一部が外部に露出するようにして取り付けられている。前記裏側カバー２ｂには、該裏側カバー２ｂの背後に突出するようにして嵌合部５が一体的に設けられている。この嵌合部５は裏側カバー２ｂの一端部側から他端部側に大略円弧を描くようにして延びており、先端は自由端とされている。前記裏側カバー２ｂの外面には、頂面が凹面をなす打具受け部６が、周囲の部分から若干隆起するようにして一体的に設けられている。この嵌合部５と本体２との間には、図７によく示されるように、間隙７が形成されている。
【００１８】
図９は、前記表側カバー２ａから裏側カバー２ｂを取り外した状態の背面図（裏側から見た図）であり、この図に示されるように、表側カバー２ａの内面には基板８が取り付けられている。前記基板８にはストッパ９および接点１０が取り付けられている。可動子１１は、細長い直線状に延びる金属板からなるアーム１１ａと、このアーム１１ａの先端部に取り付けられた円板状の金属からなる接点兼用錘部１１ｂとを有してなる。前記アーム１１ａは、その基端部において回動軸１２を介して基板８に支持されており、回動軸１２を中心として、基板８ひいては本体２に対して基板８と平行な面内（本体２の厚み方向と垂直な面内）においてストッパ９と接点１０との間で回動可能とされている。本実施例においては、図９のようにアーム１１ａがストッパ９に当接されている位置が、可動子１１の「待機位置」である。前記アーム１１ａの接点兼用錘部１１ｂ寄りの部分と基板８との間には、ばね性に富む金属線材を円弧状に湾曲してなるばね１３（本実施例における付勢手段）が介装されており、このばね１３は可動子１１を待機位置へ向かって付勢している。
【００１９】
図１０は、本実施例における電子回路のブロック図を示している。前記基板８に設けられた計数回路１４（図１０以外の図では、図示を省略している）は、可動子１１の接点兼用錘部１１ｂと接点１０とが接触する毎に電気パルスを入力されることにより、接点兼用錘部１１ｂと接点１０とが接触する回数を計数するようになっている。前記表示装置３は、計数回路１４の出力を入力されて表示するようになっている。また、リセットスイッチ４が押されて閉じられると、計数回路１４はリセットされるようなっている。
【００２０】
次に、本実施例の使用方法および作動をゴルフクラブ１５に取り付けて使用する場合を例にして説明する。図１１および１２に示されるように、本体２の打具受け部６と嵌合部５との間の間隙７にゴルフのクラブ１５のシャフト１６の細い部分をまず挿入し、しかる後に矢印Ａのように装置１の本体２および嵌合部５を、シャフト１６のより太い部分側に移動し、シャフト１６のうちのグリップ１７付近のより太い部分を嵌合部５と本体２の打具受け部６との間の間隙７に嵌合することにより、本体２をシャフト１６に取り付ける。これにより、クラブ１５に対する装置１の取り付けを簡単かつ強固に行うことができる。
【００２１】
なお、この装置１の取り付けの際、クラブ１５のフェース１８と本体２の表側面（表側カバー２ａの表側面）が大略平行になるように、シャフト１６の軸線回りに関するシャフト１６に対する装置１の取付角度を設定する。この取付角度は、装置１をシャフト１６に取り付け後も、図１２の矢印Ｂで示されるようにシャフト１６の軸線回りに装置１を回転させることにより、自由に変えることができ、シャフト１６を本体２との間に挟み付ける嵌合部５の弾性により、回転を停止した位置に装置１は維持される。
【００２２】
上述のような取付角度で取り付けた状態において、使用者がバックスイングを始め、トップスイングに至ったとき、左手甲が正しく真直ぐに伸びている場合には、使用者の前方から見ると、装置１は図１５に示されるような角度に向く。そして、このとき使用者がスイングを中止し、多少振り返って装置１を見れば、使用者自身からは図１６のように本体２の厚みがほぼ見える状態になる（図１５と図１６は、基本的には同じ状態を示しており、前者は使用者の前方から見た図、後者は使用者自身から見た図である）。
【００２３】
他方、トップスイングに至ったとき、左手首が甲側に折れている場合には、使用者の前方から見ると、装置１は図１７に示されるような角度に向く。そして、このとき使用者がスイングを中止し、多少振り返って装置１を見ると、使用者自身からは図１３のように本体２の厚みがほぼ見える状態とはならず、本体２の表側の面がよりよく見える状態になる。
【００２４】
逆に、トップスイングに至ったとき、左手首が手のひら側に折れている場合には、このとき使用者がスイングを中止し、多少振り返って装置１を見ると、本体２の裏側の面がよりよく見える状態になる。
【００２５】
したがって、トップスイングに至ったときにスイングを中止して装置１を見ることにより、トップスイング時に手首が正しく伸びているか否かを使用者が自分自身で容易に確認することができる。
【００２６】
なお、本発明においては、必ずしも本体２を比較的に扁平な形状としなくてもよいし、本実施例と同様に本体２を比較的に扁平な形状とする場合も、本実施例とは異なり、リスト角度が正しいとき、使用者から見て、本体２の厚みではなく、本体２の表側の面または裏側の面がよく見える状態となるようにクラブ１５に対する本体２の取付角度を設定してもよい。しかし、そのようにした場合は、本体２の方向が正しい方向からある程度ずれていてもそれを認識しにくくなるので、リスト角度の確認がやや困難になる。
【００２７】
しかるに、本実施例のように、本体２を比較的に扁平な形状とし、リスト角度が正しいとき、使用者から見て本体２の厚みがほぼ見えるようにすれば、本体２が正しい方向からずれたとき、それをより敏感に判別できるので、リスト角度の確認が容易になる。
【００２８】
他方、クラブ１５が静止している状態では、図１３のように可動子１１はばね１３の復元力によりストッパ９に当接されて待機位置にある。しかし、本体２をクラブ１５に前記取付角度で取り付けた状態で、使用者がクラブ１５を１回スイングすると、可動子１１が慣性により相対的に本体２に対し待機位置から接点兼用錘部１１ｂが接点１０に当接される位置まで回動される。これにより、計数回路１４が１カウントし、表示装置３の表示が１回分増加する（より詳しく言うと、本実施例の場合、フォロースルーに入って、手首が返される時点で可動子１１が前述のように回動する）。
【００２９】
次に、スイングが終了した時点またはそれより前のある時点で、可動子１１を本体２に対し相対的に所定の向き（接点１０側に向かう向き）に動かそうとする力がなくなるかまたは弱まるので、ばね１３の力により可動子１１が待機位置に復帰される。したがって、使用者がスイングする毎に計数回路１４が１カウントし、そのカウント数の累計が表示装置３に表示される。
【００３０】
したがって、素振り練習等をする際、使用者は自ら何回スイングしたか数える必要はなく、表示装置３を見るだけで、何度スイングをしたかを確認できる。なお、クラブ１５がスイング以外の方向に動かされることにより、可動子１１が回動できない方向に動かされても、可動子１１は回動しないので、計数回路１４はカウントしない。
【００３１】
また、クラブ１５の先端側に装置１が取り付けられるとすると、スイング時に装置１により大きな遠心力が作用するので、装置１がクラブ１５から外れやすくなる。しかるに、本実施例のようにグリップ１７付近に装置１が取り付けられるようにすれば、スイング時に装置１に作用する遠心力を小さくできるので、装置１をクラブ１５に確実に取り付けた状態に維持できる。
【００３２】
図１８は装置１を野球のバット１９のグリップ２０に嵌合して取り付けた状態を示している。このように野球のバット１９に取り付けても、前述のゴルフのクラブ１５の場合と同様にして、バット１９のスイング過程におけるリスト角度の確認を行うことができるとともに、素振り時等におけるスイングの回数を計数できる。
なお、本発明は、ゴルフのクラブおよび野球のバット以外の打具にも適用できるものである。
【００３３】
また、本発明において本体を打具に取り付ける機構は、前記実施例のような嵌合構造に限られることはなく、例えばクリップ等の他の機構により本体を打具に取り付けるようにしてもよい。
【００３４】
また、前記実施例では、打具がスイングされて可動子が動く毎に接点が開閉されることによりスイング数が計数されるようになっているが、他の機構、例えば、可動子が動くことによって電気容量、磁界等の物理量が変化することによりスイング数が計数されるような機構としてもよい。
【００３５】
また、前記実施例では、スイングが終了すると、可動子が付勢手段によって待機位置に復帰されるようになっているが、重力等により可動子が待機位置に復帰するようにしてもよい。
【産業上の利用可能性】
【００３６】
以上のように本発明によるリスト角度確認およびスイング計数装置は、ゴルフのクラブ、野球のバット等の打具をスイングする過程におけるリストの角度を確認するための装置およびスイングの回数を計数する装置として有用である。
【図面の簡単な説明】
【００３７】
【図１】ゴルフのトップスイングにおいて正しく左手首が伸びている状態を示す説明図である。
【図２】ゴルフのトップスイングにおいて左手首が甲側に折れた状態を示す説明図である。
【図３】ゴルフのトップスイングにおいて左手首が手のひら側に折れた状態を示す説明図である。
【図４】本発明のリスト角度確認およびスイング計数装置の一実施例を表側から見て示す斜視図である。
【図５】前記実施例を裏側から見て示す斜視図である。
【図６】前記実施例を示す正面図である。
【図７】前記実施例を示す側面図である。
【図８】前記実施例を示す背面図である。
【図９】前記実施例において裏側カバーを取り外した状態の背面図である。
【図１０】前記実施例における電子回路のブロック図である。
【図１１】前記実施例をゴルフのクラブに取り付けた状態を示す正面図である。
【図１２】前記実施例をゴルフのクラブに取り付けた状態を示す断面図である。
【図１３】前記実施例において可動子が待機位置にある状態を示す断面図である。
【図１４】前記実施例において可動子の接点兼用錘部が接点に接触した状態を示す断面図である。
【図１５】前記実施例をクラブに所定角度で取り付けた場合において、トップスイングにて左手首が正しく真直ぐに延びているときの状態を使用者の前方から見て示す説明図である。
【図１６】図１５の状態にあるとき、使用者からの前記実施例の見え方を示す説明図である。
【図１７】トップスイングにて左手首が甲側に折れているときの状態を使用者の前方から見て示す説明図である。
【図１８】前記実施例を野球のバットに取り付けた状態を示す正面図である。
【符号の説明】
【００３８】
１    リスト角度確認およびスイング計数装置
２    本体
３    表示装置
５    嵌合部
７    間隙
１１    可動子
１３    ばね（付勢手段）
１４    計数回路
１５    ゴルフのクラブ（打具）
１６    シャフト
１７    グリップ
１９    バット（打具）
２０    グリップ
【図１】
2006006679.tif 000003
【図２】
2006006679.tif 000004
【図３】
2006006679.tif 000005
【図４】
2006006679.tif 000006
【図５】
2006006679.tif 000007
【図６】
2006006679.tif 000008
【図７】
2006006679.tif 000009
【図８】
2006006679.tif 000010
【図９】
2006006679.tif 000011
【図１０】
2006006679.tif 000012
【図１１】
2006006679.tif 000013
【図１２】
2006006679.tif 000014
【図１３】
2006006679.tif 000015
【図１４】
2006006679.tif 000016
【図１５】
2006006679.tif 000017
【図１６】
2006006679.tif 000018
【図１７】
2006006679.tif 000019
【図１８】
2006006679.tif 000020